(57)【要約】      （修正有）【課題】草刈り機を左右に振る揺動刈り取り操作に伴って、受止めた草を良好に寄せ集め、特に、従来では集め難かった右方へ寄せ集めることを、草刈り機が備えている構成を有効に利用することで可能にして、左右のいずれの方向にも草寄せができて、草刈り作業効率を倍増することができるようにする。【解決手段】草刈り機Ａの先端の草刈り刃１の上方に取付けられて、回転する草刈り刃１により切断された切断草を受止めて、草刈り機Ａの左右の揺動に伴って草寄せする草刈り機Ａの草寄せ具Ｂである。草刈り機Ａの使用状態において、円板状の草刈り刃１の平面視における前半部で、この前半部を左右に略二分する位置に配置される草寄せ具本体２を備える。草寄せ具本体２の前端部に左草寄せ片３と右草寄せ片４とが左右に略Ｖ字状に分岐して形成されている。【選択図】図２
2007244331.tif 000002
【特許請求の範囲】
【請求項１】
草刈り機の先端の草刈り刃の上方に取付けられて、回転する草刈り刃により切断された切断草を受止めて、草刈り機の左右の揺動に伴って草寄せする草刈り機の草寄せ具であって、草刈り機の使用状態において、円板状の草刈り刃の平面視における前半部で、この前半部を左右に略二分する位置に配置される草寄せ具本体を備え、草寄せ具本体の前端部に左草寄せ片と右草寄せ片とが左右に略Ｖ字状に分岐して形成されていることを特徴とする草刈り機の草寄せ具。
【発明の詳細な説明】
【技術分野】
【０００１】
本発明は、草刈り機の草寄せ具に関し、詳しくは、回転する草刈り刃によって切断された草がそのまま放出されないように草寄せ具によって受止め、吊り紐を肩に掛けて草刈り機を左右に振る揺動刈り取り操作に伴って、受止めた草を良好に寄せ集め、特に、従来では集め難かった右方へ寄せ集めることを、草刈り機が備えている構成を有効に利用することで可能にして、左右のいずれの方向にも草寄せができて、草刈り作業効率を倍増することができるようにする技術に係るものである。
【背景技術】
【０００２】
従来、円板状の草刈り刃を先端に備えた草刈り機にあっては、回転刃の回転によって切断された草は遠心力によって飛散され、草刈り機を吊り紐にて肩に掛けて左右に振り（揺動し）ながら草刈りをおこなう場合に、切断された草を揃えることが難しく、草刈り後に刈り取った草を熊手や箒等で掃き集めるものとなっていた。
【０００３】
ところで、刈り取った草を放置しておくと、ミミズが繁殖し、これを餌とするもぐらが入り込み、傾斜のある畔（畦）などでは雨が降って弱くなると崩壊する被害が生じることがあり、刈り取った草を集めて取り除いておくことが土工的にも必要となるものである。
【０００４】
このような問題を解消するのに当たって、図７に示される特許文献１のように、草刈り刃１により切断された切断草Ｇを受止め、草刈り機を揺動するのに伴って草寄せする草寄せ具Ｂ’を設けるものがあった。
【０００５】
ところで、特許文献１における上記草寄せ具Ｂ’は、図７に示されるように、一本の金属線材を略逆Ｃ字状に曲げたものを使用するものであったから、左回転（図７に示される矢印方向）する草刈り刃１で切断された切断草Ｇを安定的に受止めることが可能であり、吊り紐を肩に掛けて左方に草刈り機を揺動させる刈り取り操作に伴って、切断された草を左方に良好に寄せ集めることができるのであるが、逆に、草刈り機を右方に揺動させるときに、切断された草は略逆Ｃ字状に湾曲している草寄せ具Ｂ’を滑って切断草Ｇを放出してしまうことになるのであり、このため、草刈り機を右方に揺動させる場合には草刈りをおこなわない戻り動作とするものであった。
【０００６】
ところで、草刈り機においては、草刈り機の上部に搭載したエンジンよりの回転出力を下端部の草刈り刃に伝達する主軸を主軸ケース８にて覆っている。この主軸フレーム８の先端部が草刈り刃１の中心部に位置して最も低くなっており、草刈り刃１の中心部から後方に離れる程、高さが高くなっている。このように、主軸フレーム８は側面視において下方が低くなるように傾斜していて、例えば、図７において左回転している草刈り刃１にて切断されて遠心力にて飛ばされた長い切断草Ｇが主軸フレーム８の下端部にて受けられることが判っている。
【特許文献１】特許第２９３１２８４号公報
【発明の開示】
【発明が解決しようとする課題】
【０００７】
本発明はこのような問題に鑑みてなされたものであり、草刈り刃の中心部が低く、中心部から後方に離れる程、高さが高くなるという、草刈り機の主軸ケースを有効に利用することで、簡単な構成にしながら、左右のいずれの方向にも草寄せができて、草刈り作業効率を倍増することができる草刈り機の草寄せ具を提供することを課題とする。
【課題を解決するための手段】
【０００８】
請求項１に係る発明は、草刈り機Ａの先端の草刈り刃１の上方に取付けられて、回転する草刈り刃１により切断された切断草Ｇを受止めて、草刈り機Ａの左右の揺動に伴って草寄せする草刈り機Ａの草寄せ具Ｂであって、草刈り機Ａの使用状態において、円板状の草刈り刃１の平面視における前半部で、この前半部を左右に略二分する位置に配置される草寄せ具本体２を備え、草寄せ具本体２の前端部に左草寄せ片３と右草寄せ片４とが左右に略Ｖ字状に分岐して形成されていることを特徴とするものである。
【０００９】
このような構成によれば、吊り紐を肩に掛けて草刈り機Ａを、例えば、右方に揺動させるという草刈り機Ａの使用状態において、左回転している草刈り刃１にて切断された切断草Ｇは、草刈り刃１の上部空間の前半部の左右中心部に配置している草寄せ具本体２、及び、草寄せ具本体２の先端より右前方に延びている右草寄せ片４にて受け止めることができ、引き続く草刈り機Ａの右方への揺動によって、右草寄せ片４がフックのように切断草Ｇを保持して受け止められている切断草Ｇを塊りとして右方に安定的に寄せ集めることができ、草刈り機Ａを左方に揺動させるときは、左回転している草刈り刃１にて切断された切断草Ｇは草刈り刃１の上部空間の後半部の左右中心部に位置することとなる主軸ケース８にて受け止めることができ、引き続く草刈り機Ａの左方への揺動によって、左草寄せ片３がフックのように切断草Ｇを保持して左方に寄せ集めることができ、このように、草刈りと刈った草を集める草寄せ作業を左右におこなうことができ、草刈り作業効率を大幅に高めることができる（図６参照）。
【発明の効果】
【００１０】
要するに本発明は、草刈り刃の中心部が低く、中心部から後方に離れる程、高さが高くなるという、草刈り機の主軸ケースを有効に利用すること、草寄せ具本体を草刈り刃の前半部を左右に略二分する位置に配設すること、草寄せ具本体の先端部にフック機能を果たす左右の草受け片を設けること、との簡単な構成にしながら、左右のいずれの方向にも草寄せができて、草刈り作業効率を倍増させることができる。
【発明を実施するための最良の形態】
【００１１】
以下、本発明の実施の形態を説明する。図１は草寄せ具Ｂの斜視図である。図２は草刈り機Ａに草寄せ具Ｂを取付けた部分斜視図である。図５は草刈り機Ａの全体概略斜視図である。
【００１２】
草刈り機Ａは、筒状の主軸ケース８の内部に回転軸１４を挿通し、回転軸１４の下端部にベベルギヤを備えた回転力伝動部（図示せず）を構成し、回転力伝動部を伝動ギアケース１３にて覆い、伝動ギアケース１３より下方に突出された出力軸に左ねじ締め手段によって草刈り刃１を取替え可能に取付けて草刈り刃１を矢印Ｒ方向（左回転方向）に駆動回転するようにしている。伝動ギアケース１３は主軸ケース８の下端部に接続している。
【００１３】
主軸ケース８の途中にはハンドル１５を設けて上端部にはエンジン１６を搭載して、エンジン１６の駆動にて回転軸１４及び回転力伝動部を介して草刈り刃１を駆動回転させるようにしている。主軸ケース８には安全カバー１７を上下位置変更自在に設けるとともに吊り紐（図示せず）を設けてあり、吊り紐を肩に吊るとともにハンドル１６を持って草刈り機Ａを左右に振り出すようにして草刈りをおこなうようにしている。
草刈り刃１は円板状としたが、小径の円状の基板の外周部に周方向に間隔を隔てて複数本の合成樹脂（例えば、ナイロン）製の帯状体、ワイヤー及びロープ等の紐状体を係着した形態のものであってもよい。又、草刈り機Ａの形態は種々のものがある。
【００１４】
図１に示すように、草寄せ具Ｂは、例えば、合成樹脂成形品で一体化されたものであり、草刈り機Ａの筒状の主軸ケース８の下端部の伝動ギアケース１３に取付けられる取付部９は、例えば、使用状態で右側方が開放された略Ｕ字状に形成されている。取付部９を基部として棒状の草寄せ具本体２を前方に延出していて、草刈り機Ａの使用状態において円板状の草刈り刃１の前半部を平面視で左右に略二分する位置に草寄せ具本体２を配置するようにしている。
詳しくは、草寄せ具本体２を取付部９の上部脚片９ａより延出している。草寄せ具本体２は上部脚片９ａの近傍より延出してもよい。草寄せ具本体２の前端部に左草寄せ片３と右草寄せ片４とが左右に略Ｖ字状に分岐する前草寄せ部５を形成している。
前草寄せ部５の左草寄せ片３と右草寄せ片４に異なる方向に突出する棒状の小突起７を形成している。小突起７は粒状であってもよい。
【００１５】
草寄せ具本体２の中間部より基材部１１を略水平に延出して取付部９の下部脚片９ｂに接続している。基材部１１は棒状となって、本実施の形態では、平面視で伝動ギアケース１３の左方において半円状に湾曲させている。取付部９の上部脚片９ａと下部脚片９ｂを連ねる円弧部９ｃと基材部１１とを補強リブ１０にて接続している。補強リブ１０は外方に凸曲した面状草寄せガイド１２に形成している。草寄せ具本体２の前草寄せ部５、基材部１１が側面視において草刈り刃１の回転面に近接する略同一平面上に配設している。
【００１６】
草寄せ具本体２と面状草寄せガイド１２との中間に取付部９の上部脚片９ａと基材部１１にわたって棒状リブ１０ａを形成している。草寄せ具本体２、棒状リブ１０ａ及び面状草寄せガイド１２を総合することによって切断草Ｇに対する草寄せガイド部を形成している
取付部９の上部脚片９ａ、下部脚片９ｂに雄ねじ１９を形成している。略Ｕ字状の取付部９を草刈り機Ａの伝動ギアケース１３に係合し、締付けプレート２０の孔を取付部９の上下部脚片９ａ、９ｂに挿通し、ナット２１を螺合することで、草寄せ具本体２を草刈り刃１の上方で、草刈り刃１の前半部の上部空間を平面視で左右に略二分する位置に配設するようにしている。
【００１７】
このようにして、吊り紐を肩に掛けて草刈り機Ａの使用状態において、草刈り機Ａを右方に揺動させるときは、左回転している草刈り刃１にて切断された切断草Ｇは、草刈り刃１の上部空間の前半部の左右中心部に配置している草寄せ具本体２、及び、草寄せ具本体２の先端より右前方に延びている右草寄せ片４にて受け止めるのである。引き続く草刈り機Ａの右方への揺動によって、右草寄せ片４がフックのように切断草Ｇを保持して受け止められている切断草Ｇを塊りとして右方に安定的に寄せ集めるのである。（図６参照）
草刈り機Ａを左方に揺動させるときは、左回転している草刈り刃１にて切断された切断草Ｇは草刈り刃１の上部空間の後半部の左右中心部に位置することとなる主軸ケース８にて受け止めるのである。引き続く草刈り機Ａの左方への揺動によって、左草寄せ片３がフックのように切断草Ｇを保持して左方に寄せ集めることができ、このように、草刈りと刈った草を集める草寄せ作業を左右におこなうことができ、草刈り作業効率を大幅に高めることができる。（図６参照）
上記左草寄せ片３と右草寄せ片４には異なる方向に棒状又は粒状の小突起７…が突出していて、これらの小突起７…によって切断草Ｇを滑らせないで引っ掛けることができ、草寄せ効率を高めることができる。
【００１８】
この場合、側方が開放された略Ｕ字状の取付部９が主軸ケース８の下端部の伝動ギアケース１３に側方より係合して抱持して、取付部９の上部より延出されている草寄せ具本体２を草刈り刃１の左右中心へと延出させることができる。
【００１９】
しかも、側方が開放された略Ｕ字状の取付部９、取付部９の上部脚片９ａより前方に延出された草寄せ具本体２、左右草寄せ片３，４、草寄せ具本体２と取付部９の下部脚片９ｂとを接続している基材部１１、面状草寄せガイド１２及び棒状リブ１０ａが合成樹脂にて一体化されて成形されているのであり、複雑な形状となる草寄せ具Ｂを軽量化し、寸法安定化を図り、品質を高めることができる。
【００２０】
補強リブ１０が外方に凸曲した面状草寄せガイド１２となっていて、切断草Ｇを、一層、安定的にガイドさせることができる。面状草寄せガイド１２は網目状にしてもよい。
【００２１】
ところで、草寄せ具本体２と面状草寄せガイド１２との中間に上方の取付部９の上部脚片９ａと下方の基材部１１にわたって棒状リブ１０ａを形成してあり、草寄せ具本体２、面状草寄せガイド１２及び棒状リブ１０ａが総合されて草寄せガイド部となって、円滑なガイドを果たしながら、草寄せ具Ｂのデザインを高めている。
【図面の簡単な説明】
【００２２】
【図１】本発明の実施の一形態の斜視図である。
【図２】同上の草寄せ具を草刈り機に取付けた部分斜視図である。
【図３】同上の部分斜視図である。
【図４】同上の部分側面図である。
【図５】同上の全体概略斜視図である。
【図６】同上の草寄せ作業後の説明図である。
【図７】従来例の概略平面図である。
【符号の説明】
【００２３】
１    草刈り刃
２    草寄せ具本体
３    左草寄せ片
４    右草寄せ片
【図１】
2007244331.tif 000003
【図２】
2007244331.tif 000004
【図３】
2007244331.tif 000005
【図４】
2007244331.tif 000006
【図５】
2007244331.tif 000007
【図６】
2007244331.tif 000008
【図７】
2007244331.tif 000009